(57)【要約】  一態様では、本発明は、可能性のある複数の将来金利に基づいて予想会計的業績のレベルおよびボラティリティを示すチャートを、コンピュータ画面に表示する手段を備えるコンピュータシステムを含み、このチャートは、50パーセンタイルライン、95パーセンタイルライン、および5パーセンタイルラインを含み、50パーセンタイルライン、95パーセンタイルライン、および5パーセンタイルラインは、予想会計的業績の、時間に対する確率分布を表す。様々な実施形態では、(1)1つまたは複数の縦棒のそれぞれにおいて、最高ドットは、予想会計的業績の95%最良ケースを表し、最低ドットは、予想会計的業績の95%最悪ケースを表し、(2)予想会計的業績は、純利ざや、支払利息、受入利息、および現在価値のうちの1つまたは複数を含む。
2008541315.tif 000002
【特許請求の範囲】
【請求項１】
可能性のある複数の将来金利に基づいて予想会計的業績のレベルおよびボラティリティを示すチャートを、コンピュータ画面に表示する手段を備えるコンピュータシステムであって、
前記チャートは、50パーセンタイルライン、95パーセンタイルライン、および5パーセンタイルラインを含み、
前記50パーセンタイルライン、前記95パーセンタイルライン、および前記5パーセンタイルラインは、前記予想会計的業績の、時間に対する確率分布を表す、コンピュータシステム。
【請求項２】
前記95パーセンタイルラインおよび前記5パーセンタイルラインは、前記予想会計的業績の、可能性のあるボラティリティをモデル化するコーンを形成する、請求項1に記載のコンピュータシステム。
【請求項３】
前記予想会計的業績は、四半期当たりの予想会計的業績である、請求項1に記載のコンピュータシステム。
【請求項４】
前記予想会計的業績は、少なくとも1つの金利シナリオに基づく、請求項1に記載のコンピュータシステム。
【請求項５】
前記少なくとも1つの金利シナリオは、フォワードシナリオ、X/Y平均回帰シナリオ、Z年パターン仮定シナリオ、および逆イールドカーブシナリオのうちの1つまたは複数を含む、請求項4に記載のコンピュータシステム。
【請求項６】
前記会計的業績は、純利ざや、支払利息、受入利息、および現在価値のうちの少なくとも1つを含む、請求項1に記載のコンピュータシステム。
【請求項７】
前記会計的業績は、純利ざや、支払利息、受入利息、および現在価値のうちの2つ以上の組合せを含む、請求項1に記載のコンピュータシステム。
【請求項８】
金利シミュレーションモデルの出力を計算する手段と、
前記出力を受け取り、前記出力に基づいて、1つまたは複数の縦棒を含む中央値/高値/安値チャートをコンピュータ画面に表示する手段と、を備えるコンピュータシステムであって、
前記1つまたは複数の縦棒のそれぞれは、確率分布を表し、
前記1つまたは複数の縦棒のそれぞれは、中央ドット、最高ドット、および最低ドットを含み、
前記中央ドットは、金利負担の予想水準を表す、コンピュータシステム。
【請求項９】
前記1つまたは複数の縦棒のそれぞれにおいて、前記最高ドットは、予想会計的業績の95%最良ケースを表し、前記最低ドットは、予想会計的業績の95%最悪ケースを表す、請求項8に記載のコンピュータシステム。
【請求項１０】
前記予想会計的業績は、純利ざや、支払利息、受入利息、および現在価値のうちの1つまたは複数を含む、請求項9に記載のコンピュータシステム。
【請求項１１】
前記1つまたは複数の縦棒のうちの少なくとも1つが金利シナリオに対応する、請求項8に記載のコンピュータシステム。
【請求項１２】
前記金利シナリオは、フォワードシナリオ、X/Y平均回帰シナリオ、Z年パターン仮定シナリオ、および逆イールドカーブシナリオのうちの少なくとも1つを含む、請求項11に記載のコンピュータシステム。
【請求項１３】
前記チャートは、前記1つまたは複数の縦棒のうちの、金利シナリオに対応する少なくとも1つに対して、リスク管理製品シナリオに対応する1つまたは複数の縦棒を含む、請求項11に記載のコンピュータシステム。
【請求項１４】
前記リスク管理製品シナリオは、スワップ、カラー、上限、下限、スワップション、およびフォワード開始スワップのうちの1つまたは複数についてのシナリオを含む、請求項13に記載のコンピュータシステム。
【請求項１５】
可能性のある複数の将来金利に基づいて予想会計的業績のレベルおよびボラティリティを示すチャートを、コンピュータ画面に表示する段階を含む方法であって、
前記チャートは、50パーセンタイルライン、95パーセンタイルライン、および5パーセンタイルラインを含み、
前記50パーセンタイルライン、前記95パーセンタイルライン、および前記5パーセンタイルラインは、前記予想会計的業績の、時間に対する確率分布を表す、方法。
【請求項１６】
前記95パーセンタイルラインおよび前記5パーセンタイルラインは、前記予想会計的業績の、可能性のあるボラティリティをモデル化するコーンを形成する、請求項15に記載の方法。
【請求項１７】
前記予想会計的業績は、四半期当たりの予想会計的業績である、請求項15に記載の方法。
【請求項１８】
前記予想会計的業績は、少なくとも1つの金利シナリオに基づく、請求項15に記載の方法。
【請求項１９】
前記少なくとも1つの金利シナリオは、フォワードシナリオ、X/Y平均回帰シナリオ、Z年パターン仮定シナリオ、および逆イールドカーブシナリオのうちの1つまたは複数を含む、請求項18に記載の方法。
【請求項２０】
前記会計的業績は、純利ざや、支払利息、受入利息、および現在価値のうちの少なくとも1つを含む、請求項15に記載の方法。
【請求項２１】
前記会計的業績は、純利ざや、支払利息、受入利息、および現在価値のうちの2つ以上の組合せを含む、請求項15に記載の方法。
【請求項２２】
金利シミュレーションモデルの出力を計算する段階と、
前記出力を受け取る段階と、
前記出力に基づいて、1つまたは複数の縦棒を含む中央値/高値/安値チャートをコンピュータ画面に表示する段階と、を含む方法であって、
前記1つまたは複数の縦棒のそれぞれは、確率分布を表し、
前記1つまたは複数の縦棒のそれぞれは、中央ドット、最高ドット、および最低ドットを含み、
前記中央ドットは、金利負担の予想水準を表す、方法。
【請求項２３】
前記1つまたは複数の縦棒のそれぞれにおいて、前記最高ドットは、予想会計的業績の95%最良ケースを表し、前記最低ドットは、予想会計的業績の95%最悪ケースを表す、請求項22に記載の方法。
【請求項２４】
前記予想会計的業績は、純利ざや、支払利息、受入利息、および現在価値のうちの1つまたは複数を含む、請求項23に記載の方法。
【請求項２５】
前記1つまたは複数の縦棒のうちの少なくとも1つが金利シナリオに対応する、請求項22に記載の方法。
【請求項２６】
前記金利シナリオは、フォワードシナリオ、X/Y平均回帰シナリオ、Z年パターン仮定シナリオ、および逆イールドカーブシナリオのうちの少なくとも1つを含む、請求項26に記載の方法。
【請求項２７】
前記チャートは、前記1つまたは複数の縦棒のうちの、金利シナリオに対応する少なくとも1つに対して、リスク管理製品シナリオに対応する1つまたは複数の縦棒を含む、請求項26に記載の方法。
【請求項２８】
前記リスク管理製品シナリオは、スワップ、カラー、上限、下限、スワップション、およびフォワード開始スワップのうちの1つまたは複数についてのシナリオを含む、請求項27に記載の方法。
【請求項２９】
可能性のある複数の将来金利に基づいて予想会計的業績のレベルおよびボラティリティを示すチャートを、コンピュータ画面に表示するように動作可能なコンピュータを備えるコンピュータシステムであって、
前記チャートは、50パーセンタイルライン、95パーセンタイルライン、および5パーセンタイルラインを含み、
前記50パーセンタイルライン、前記95パーセンタイルライン、および前記5パーセンタイルラインは、前記予想会計的業績の、時間に対する確率分布を表す、コンピュータシステム。
【請求項３０】
前記95パーセンタイルラインおよび前記5パーセンタイルラインは、前記予想会計的業績の、可能性のあるボラティリティをモデル化するコーンを形成する、請求項29に記載のコンピュータシステム。
【請求項３１】
前記予想会計的業績は、四半期当たりの予想会計的業績である、請求項29に記載のコンピュータシステム。
【請求項３２】
前記予想会計的業績は、少なくとも1つの金利シナリオに基づく、請求項29に記載のコンピュータシステム。
【請求項３３】
前記少なくとも1つの金利シナリオは、フォワードシナリオ、X/Y平均回帰シナリオ、Z年パターン仮定シナリオ、および逆イールドカーブシナリオのうちの1つまたは複数を含む、請求項32に記載のコンピュータシステム。
【請求項３４】
前記会計的業績は、純利ざや、支払利息、受入利息、および現在価値のうちの少なくとも1つを含む、請求項29に記載のコンピュータシステム。
【請求項３５】
前記会計的業績は、純利ざや、支払利息、受入利息、および現在価値のうちの2つ以上の組合せを含む、請求項29に記載のコンピュータシステム。
【請求項３６】
金利シミュレーションモデルの出力を計算し、
前記出力を受け取り、
前記出力に基づいて、1つまたは複数の縦棒を含む中央値/高値/安値チャートをコンピュータ画面に表示するように動作可能なソフトウェアに対して動作可能なプロセッサを備えるコンピュータシステムであって、
前記1つまたは複数の縦棒のそれぞれは、確率分布を表し、
前記1つまたは複数の縦棒のそれぞれは、中央ドット、最高ドット、および最低ドットを含み、
前記中央ドットは、金利負担の予想水準を表す、コンピュータシステム。
【請求項３７】
前記1つまたは複数の縦棒のそれぞれにおいて、前記最高ドットは、予想会計的業績の95%最良ケースを表し、前記最低ドットは、予想会計的業績の95%最悪ケースを表す、請求項36に記載のコンピュータシステム。
【請求項３８】
前記予想会計的業績は、純利ざや、支払利息、受入利息、および現在価値のうちの1つまたは複数を含む、請求項37に記載のコンピュータシステム。
【請求項３９】
前記1つまたは複数の縦棒のうちの少なくとも1つが金利シナリオに対応する、請求項36に記載のコンピュータシステム。
【請求項４０】
前記金利シナリオは、フォワードシナリオ、X/Y平均回帰シナリオ、Z年パターン仮定シナリオ、および逆イールドカーブシナリオのうちの少なくとも1つを含む、請求項39に記載のコンピュータシステム。
【請求項４１】
前記チャートは、前記1つまたは複数の縦棒のうちの、金利シナリオに対応する少なくとも1つに対して、リスク管理製品シナリオに対応する1つまたは複数の縦棒を含む、請求項39に記載のコンピュータシステム。
【請求項４２】
前記リスク管理製品シナリオは、スワップ、カラー、上限、下限、スワップション、およびフォワード開始スワップのうちの1つまたは複数についてのシナリオを含む、請求項41に記載のコンピュータシステム。
【発明の詳細な説明】
【技術分野】
【０００１】
（関連出願の相互参照）
本出願は、2005年5月18日に出願された米国特許仮出願第60/682,605号の利益を主張するものである。この特許仮出願の全内容が、参照により本明細書に組み込まれている。
【発明の開示】
【課題を解決するための手段】
【０００２】
一実施形態では、本発明は、可能性のある将来のイールドカーブ(利回り曲線)(「YC」)パスの可視化を可能にするシミュレーション分析および表示を含む。イールドカーブデータの生成後、関連する金利を、発行者のポートフォリオにおける資産または債務に適用する。これにより、シミュレートされた金利、および発行者の資産および債務のポートフォリオの特定の特性に基づいて、将来の受入利息(interest income)および将来の支払利息(interest expense)の確率マップを生成することが可能になる。別の実施形態では、支払利息ではなく現在価値を使用する。
【０００３】
一実施形態では、確率マップを生成した後、派生証券(derivative securities)を使用する、あるいは資産または債務のレベルに対する変更を使用する際に、ストラテジが将来の支払利息および将来の受入利息の可能性の様々な確率に対して及ぼす影響を評価するために、可能性のあるストラテジが階層化される。
【０００４】
このデータは、様々なストラテジのリスクおよびリターンの主要素を抽出したグラフィカルな形態で提示されることが好ましく、これによって、クライアントは、様々なストラテジのメリットおよびリスクに関して、より多くの情報を得たうえで決断を下すことが可能である。このような提示は、よりよい理解と見通しをクライアントに与えるものであり、取締役会がリスク管理ストラテジを増強するためにすぐに実施できる計画を立案することの支援に用いられてきた。
【０００５】
好ましい実施形態は、将来の金利について2つ以上の異なる仮定を用い、確率的な要素を扱うために、ヒストリカルなボラティリティ(volatilities)および相関を適用する。
【０００６】
個々の企業の場合は、金利を稼ぐか支払う資産および債務の評価を用いることが可能である。少なくとも1つの実施形態は、満期バケット（maturity buckets）、平均クーポン、継続期間、および変動金利感度のような要約データを扱うことが可能であり、あるいは、クライアントのポートフォリオにおけるすべての資産または債務を用いて、広範囲にわたる分析を行うことが可能である。データをクライアントに提示するこの方法は、それらのクライアントがよりよい決断を行うための助けになる。
【０００７】
一態様では、本発明は、可能性のある複数の将来の金利に基づいて予想会計的業績(projected accounting performance)のレベルおよびボラティリティを示すチャートを、コンピュータ画面に表示する手段を備えるコンピュータシステムを含み、このチャートは、50パーセンタイルライン、95パーセンタイルライン、および5パーセンタイルラインを含み、50パーセンタイルライン、95パーセンタイルライン、および5パーセンタイルラインは、予想会計的業績の、時間に対する確率分布を表す。
【０００８】
様々な実施形態では、(1)95パーセンタイルラインおよび5パーセンタイルラインは、予想会計的業績の、可能性のあるボラティリティをモデル化するコーン(cone)を形成し、(2)予想会計的業績は、四半期当たりの予想会計的業績であり、(3)予想会計的業績は、少なくとも1つの金利シナリオに基づき、(4)少なくとも1つの金利シナリオは、フォワードシナリオ、X/Y平均回帰シナリオ、Z年パターン仮定シナリオ、および逆イールドカーブシナリオのうちの1つまたは複数を含み、(5)会計的業績は、純利ざや、支払利息、受入利息、および現在価値のうちの少なくとも1つを含み、(6)会計的業績は、純利ざや、支払利息、受入利息、および現在価値のうちの2つ以上の組合せを含む。
【０００９】
別の態様では、本発明は、金利シミュレーションモデルの出力を計算する手段と、その出力を受け取り、その出力に基づいて、1つまたは複数の縦棒(bar)を含む中央値/高値/安値チャートをコンピュータ画面に表示する手段と、を備えるコンピュータシステムを含み、1つまたは複数の縦棒のそれぞれは、確率分布を表し、1つまたは複数の縦棒のそれぞれは、中央ドット、最高ドット、および最低ドットを含み、中央ドットは、金利負担の予想水準を表す。
【００１０】
様々な実施形態では、(1)1つまたは複数の縦棒のそれぞれにおいて、最高ドットは、予想会計的業績の95%最良ケースを表し、最低ドットは、予想会計的業績の95%最悪ケースを表し、(2)予想会計的業績は、純利ざや、支払利息、受入利息、および現在価値のうちの1つまたは複数を含み、(3)1つまたは複数の縦棒のうちの少なくとも1つが金利シナリオに対応し、(4)金利シナリオは、フォワードシナリオ、X/Y平均回帰シナリオ、Z年パターン仮定シナリオ、および逆イールドカーブシナリオのうちの少なくとも1つを含み、(5)チャートは、1つまたは複数の縦棒のうちの、金利シナリオに対応する少なくとも1つに対して、リスク管理製品シナリオに対応する1つまたは複数の縦棒を含み、(6)リスク管理製品シナリオは、スワップ(swap)、カラー(collar)、上限(caps)、下限(floors)、スワップション(swaption)、およびフォワード開始スワップ(forward starting swaps)のうちの1つまたは複数についてのシナリオを含む。
【００１１】
別の態様では、本発明は、可能性のある複数の将来金利に基づいて予想会計的業績のレベルおよびボラティリティを示すチャートを、コンピュータ画面に表示する段階を含む方法を含み、このチャートは、50パーセンタイルライン、95パーセンタイルライン、および5パーセンタイルラインを含み、50パーセンタイルライン、95パーセンタイルライン、および5パーセンタイルラインは、予想会計的業績の、時間に対する確率分布を表す。
【００１２】
様々な実施形態では、(1)95パーセンタイルラインおよび5パーセンタイルラインは、予想会計的業績の、可能性のあるボラティリティをモデル化するコーンを形成し、(2)予想会計的業績は、四半期当たりの予想会計的業績であり、(3)予想会計的業績は、少なくとも1つの金利シナリオに基づき、(4)少なくとも1つの金利シナリオは、フォワードシナリオ、X/Y平均回帰シナリオ、Z年パターン仮定シナリオ、および逆イールドカーブシナリオのうちの1つまたは複数を含み、(5)会計的業績は、純利ざや、支払利息、受入利息、および現在価値のうちの少なくとも1つを含み、(6)会計的業績は、純利ざや、支払利息、受入利息、および現在価値のうちの2つ以上の組合せを含む。
【００１３】
別の態様では、本発明は、金利シミュレーションモデルの出力を計算する段階と、その出力を受け取る段階と、その出力に基づいて、1つまたは複数の縦棒を含む中央値/高値/安値チャートをコンピュータ画面に表示する段階と、を含む方法を含み、1つまたは複数の縦棒のそれぞれは、確率分布を表し、1つまたは複数の縦棒のそれぞれは、中央ドット、最高ドット、および最低ドットを含み、中央ドットは、金利負担の予想水準を表す。
【００１４】
様々な実施形態では、(1)1つまたは複数の縦棒のそれぞれにおいて、最高ドットは、予想会計的業績の95%最良ケースを表し、最低ドットは、予想会計的業績の95%最悪ケースを表し、(2)予想会計的業績は、純利ざや、支払利息、受入利息、および現在価値のうちの1つまたは複数を含み、(3)1つまたは複数の縦棒のうちの少なくとも1つが金利シナリオに対応し、(4)金利シナリオは、フォワードシナリオ、X/Y平均回帰シナリオ、Z年パターン仮定シナリオ、および逆イールドカーブシナリオのうちの少なくとも1つを含み、(5)チャートは、1つまたは複数の縦棒のうちの、金利シナリオに対応する少なくとも1つに対して、リスク管理製品シナリオに対応する1つまたは複数の縦棒を含み、(6)リスク管理製品シナリオは、スワップ、カラー、上限、下限、スワップション、およびフォワード開始スワップのうちの1つまたは複数についてのシナリオを含む。
【００１５】
別の態様では、本発明は、可能性のある複数の将来金利に基づいて予想会計的業績のレベルおよびボラティリティを示すチャートを、コンピュータ画面に表示するように動作可能なコンピュータを備えるコンピュータシステムを含み、このチャートは、50パーセンタイルライン、95パーセンタイルライン、および5パーセンタイルラインを含み、50パーセンタイルライン、95パーセンタイルライン、および5パーセンタイルラインは、予想会計的業績の、時間に対する確率分布を表す。
【００１６】
様々な実施形態では、(1)95パーセンタイルラインおよび5パーセンタイルラインは、予想会計的業績の、可能性のあるボラティリティをモデル化するコーンを形成し、(2)予想会計的業績は、四半期当たりの予想会計的業績であり、(3)予想会計的業績は、少なくとも1つの金利シナリオに基づき、(4)少なくとも1つの金利シナリオは、フォワードシナリオ、X/Y平均回帰シナリオ、Z年パターン仮定シナリオ、および逆イールドカーブシナリオのうちの1つまたは複数を含み、(5)会計的業績は、純利ざや、支払利息、受入利息、および現在価値のうちの少なくとも1つを含み、(6)会計的業績は、純利ざや、支払利息、受入利息、および現在価値のうちの2つ以上の組合せを含む。
【００１７】
別の態様では、本発明は、金利シミュレーションモデルの出力を計算し、その出力を受け取り、その出力に基づいて、1つまたは複数の縦棒を含む中央値/高値/安値チャートをコンピュータ画面に表示するように動作可能なソフトウェアに対して動作可能なプロセッサを備えるコンピュータシステムを含み、1つまたは複数の縦棒のそれぞれは、確率分布を表し、1つまたは複数の縦棒のそれぞれは、中央ドット、最高ドット、および最低ドットを含み、中央ドットは、金利負担の予想水準を表す。
【００１８】
様々な実施形態では、(1)1つまたは複数の縦棒のそれぞれにおいて、最高ドットは、予想会計的業績の95%最良ケースを表し、最低ドットは、予想会計的業績の95%最悪ケースを表し、(2)予想会計的業績は、純利ざや、支払利息、受入利息、および現在価値のうちの1つまたは複数を含み、(3)1つまたは複数の縦棒のうちの少なくとも1つが金利シナリオに対応し、(4)金利シナリオは、フォワードシナリオ、X/Y平均回帰シナリオ、Z年パターン仮定シナリオ、および逆イールドカーブシナリオのうちの少なくとも1つを含み、(5)チャートは、1つまたは複数の縦棒のうちの、金利シナリオに対応する少なくとも1つに対して、リスク管理製品シナリオに対応する1つまたは複数の縦棒を含み、(6)リスク管理製品シナリオは、スワップ、カラー、上限、下限、スワップション、およびフォワード開始スワップのうちの1つまたは複数についてのシナリオを含む。
【発明を実施するための最良の形態】
【００１９】
一実施形態では、本発明は、複数の将来金利パスを生成して、企業の、現行金利に敏感な資産ポートフォリオおよび債務ポートフォリオからそれぞれ発生する一連の受入利息レベルおよび支払利息レベルを計算する。
【００２０】
本明細書の第1の例は、会社“XYZ”の好ましい扱い方を説明し、好ましい実施形態の例示的なデータ表示を図示する。
【００２１】
受入/支払利息の結合予測を分析して、XYZ社の将来収益への影響を評価することにより、望ましくない将来収益レベルを達成する頻度を計算することが可能である。
【００２２】
以下の仮定により、好ましい分析を進める(図1を参照)。
【００２３】
資産/債務ポートフォリオに関する仮定：  継続期間、クーポン、満期、支払いスケジュールおよび借換えの仮定(債務の場合)、ならびに、資産について、再投資の仮定。
【００２４】
金利予想に関する仮定：  予想将来レベル、将来レベルへの調整の速度、ならびに、金利のボラティリティおよび相関。
【００２５】
分析期間に関する仮定：  10年.
【００２６】
XYZの目的関数に関する仮定：  予想される純利ざや(「NIM」)の最大化、予想されるNIMのボラティリティの最小化、ならびに、NIMについて妥協しない、NIMのボラティリティの最小化。NIMは、受入利息と支払利息との差額(ドル)であって、平均運用資産比率として表される。
【００２７】
リスク限度の決定に関する仮定：  XYZが目的関数について妥協しない範囲でとりうる、変動金利の起こりうる損害の額、ならびに、XYZが進んでとるリスクの額。
【００２８】
図2〜5は、様々な金利シナリオ仮定の場合の、時間に対するスワップレートを示す。XYZのNIMは、多様な金利シナリオを仮定して分析される。
【００２９】
図2は、基本ケース(“フォワード”)を示しており、これは、フォワードレートが現在のフォワードカーブに追従すると仮定している。
【００３０】
図3は、10年平均回帰ケースを示しており、ここでは、金利が5年間で10年ヒストリカル平均まで徐々に上昇すると予想されている。より大まかには、このシナリオは、X/Y平均回帰として特徴づけられることが可能である。ここで、Xは、金利が上昇(または下降)すると仮定される間の年数であり、Yは、ヒストリカル平均をとる間の年数である。
【００３１】
図4は、1994〜1999年パターンケースを示しており、ここでは、予想レートは、1994〜1999年の金利変化の模倣である。一般的には、これは「5年パターン」仮定であり、さらに一般的にはZ年パターン仮定である(Zは指定の年数)。
【００３２】
図5は、逆イールドカーブケースを示しており、ここでは、カーブの「ショートエンド」が25bps上昇し、カーブの「ロングエンド」が四半期当たり10bps上昇している。
【００３３】
過去10年間にわたる金利の動きに基づき、将来金利は、図6および表1に示される金利のボラティリティおよび相関を用いて予想される値に動くと推定される。
【００３４】
【表１】
2008541315.tif 000003
【００３５】
NIM予想
【００３６】
図7〜10は、資産および債務のポートフォリオに対して実行された金利シミュレーションの結果を示す。図7は、様々なシナリオの下での予想されるNIMのレベルおよび「ボラティリティ」を示している。「予想」ラインは、50パーセンタイルライン(5本のラインのうちの真ん中のライン)である。他のラインは、時間に対する確率分布をさらに示している。たとえば、一番上のラインは95パーセンタイルラインであり、一番下のラインは5パーセンタイルラインである。すなわち、NIMがこれら2つのラインの間に収まる可能性は90%である。これらのラインによって形成される“コーン”は、予想されるNIMの“可能性のあるボラティリティ”をモデル化する。
【００３７】
この例では、図に示されるように、ほとんどのシナリオでNIMは上昇する可能性が高いが、次の5年間に1994〜1999年シナリオ(レート下降)を繰り返すと、時間に対して利ざやの低下が起こる。
【００３８】
NIM-2005年度末統計
【００３９】
図11〜12は、様々なシナリオの場合の2005年NIMの、時間に対する分布を示す。表2は、2005年の要約統計量のリストである。
【００４０】
【表２】
2008541315.tif 000004
【００４１】
図12は、中央値/高値/安値チャートを示す。そのようなチャートを事前に使用してリスク管理の概念を説明することは、知られていない。各縦棒の中央ドットが、支払利息の予想レベルであり、各縦棒は確率分布を表す。各縦棒の最高ドットは、95%最良ケースを表し、最低ドットは、95%最悪ケースを表す。これは、様々な金利シナリオの場合の、対応するリスク影響度および関連する予想支出を明確に示している。これは、各シナリオの、予想される利益、損失、およびリスクを、誰が見てもわかりやすいかたちで定量化したものである。
【００４２】
したがって、図12は、1つまたは複数の金利シミュレーションモデルと併せて用いられることが好ましい、様々な金利環境に対する中央値/高値/安値チャートを示している。
【００４３】
NIM-2006年度末統計
【００４４】
図13〜14は、様々なシナリオの場合の2006年NIMの、時間に対する分布を示す。表3は、2006年の要約統計量のリストである。
【００４５】
【表３】
2008541315.tif 000005
【００４６】
NIM-2007年度末統計
【００４７】
図15〜16は、様々なシナリオの場合の2007年NIMの、時間に対する分布を示す。表4は、2007年の要約統計量のリストである。
【００４８】
【表４】
2008541315.tif 000006
【００４９】
NIM-2008年度末統計
【００５０】
図17〜18は、様々なシナリオの場合の2008年NIMの、時間に対する分布を示す。表5は、2008年の要約統計量のリストである。
【００５１】
【表５】
2008541315.tif 000007
【００５２】
NIM-2009年度末統計
【００５３】
図19〜20は、様々なシナリオの場合の2009年NIMの、時間に対する分布を示す。表6は、2009年の要約統計量のリストである。
【００５４】
【表６】
2008541315.tif 000008
【００５５】
混合シナリオ
【００５６】
図21〜26は、混合シナリオ(シナリオ1の33%+シナリオ2の33%+シナリオ3の17%+シナリオ4の17%)の結果を示す。表7は、要約統計量のリストである。
【００５７】
【表７】
2008541315.tif 000009
【００５８】
NIMに対するデュアルスワップストラテジの影響
【００５９】
シナリオの分析結果のほとんどにおいて、XYZのポートフォリオは、デュアルスワップストラテジの実行後に、NIM収益についての位置付けが向上している。図27〜30を参照されたい。
【００６０】
「デュアルスワップストラテジ」と「何もしない」の比較-2005年度末
【００６１】
図31〜34は、2005年についての、何もしない場合(“現行”)と“スワップ済み”の場合との結果の比較である。
【００６２】
「デュアルスワップストラテジ」と「何もしない」の比較-2006年度末
【００６３】
図35〜38は、2006年についての、何もしない場合(“現行”)と“スワップ済み”の場合との結果の比較である。
【００６４】
「デュアルスワップストラテジ」と「何もしない」の比較-2007年度末
【００６５】
図39〜42は、2007年についての、何もしない場合(“現行”)と“スワップ済み”の場合との結果の比較である。
【００６６】
「デュアルスワップストラテジ」と「何もしない」の比較-2008年度末
【００６７】
図43〜46は、2008年についての、何もしない場合(“現行”)と“スワップ済み”の場合との結果の比較である。
【００６８】
「デュアルスワップストラテジ」と「何もしない」の比較-2009年度末
【００６９】
図47〜50は、2009年についての、何もしない場合(“現行”)と“スワップ済み”の場合との結果の比較である。
【００７０】
第2の例は、会社“ABC”の好ましい扱い方を説明し、“固定/変動意志決定フレームワーク”の好ましい運用を示す。
【００７１】
この例では、IRSFは、複数の将来金利パスを生成して、ABCの、現行金利に敏感な債務ポートフォリオから発生する一連の支払利息レベルを計算する。
【００７２】
以下の仮定により、分析を進める(図51を参照)。
【００７３】
資産/債務ポートフォリオに関する仮定：  継続期間、クーポン、満期、支払いスケジュールおよび借換えの仮定(債務の場合)、ならびに、資産について、再投資の仮定。
【００７４】
金利予想に関する仮定：  予想将来レベル、将来レベルへの調整の速度、ならびに、金利のボラティリティおよび相関。
【００７５】
分析期間に関する仮定：  6年、7カ月。
【００７６】
ABCの目的関数に関する仮定：  予想される支払利息(「IE」)の最大化、IEのボラティリティの最小化、ならびに、より低いIEについて妥協しない、IEのボラティリティの最小化。
【００７７】
リスク限度の決定に関する仮定：  ABCが目的関数について妥協しない範囲でとりうる、変動金利の起こりうる損害の額、ならびに、ABCが進んでとるリスクの額。
【００７８】
図52〜55は、様々な金利シナリオ仮定の場合の、時間に対するスワップレートを示す。ABCのIEは、多様な金利シナリオを仮定して分析される。
【００７９】
図52は、基本ケース(“フォワード”)を示し、図53は、10年平均回帰ケースを示し、図54は、1994〜1999年パターンケースを示し、図55は、逆イールドカーブケースを示す。
【００８０】
過去10年間にわたる金利の動きに基づき、将来金利は、図56および表8に示される金利のボラティリティおよび相関を用いて予想される値に動くと推定される。
【００８１】
【表８】
2008541315.tif 000010
【００８２】
モンテカルロシミュレーション
【００８３】
図57に示されるモンテカルロシミュレーションは、フォワードカーブおよびヒストリカルボラティリティに基づいて、次の5年間の3カ月LIBOR(リボレート)について、可能性のある1000個のパスを表現する。これらの分布の平均は、予想される結果(このケースでは、フォワードカーブシナリオ)を表す。
【００８４】
現在のIEの予想-5%変動
【００８５】
平均では、ABCは、4つのシナリオのすべてにわたって、年当たりのIEが4億8600〜5億100万ドルになると予想される(図58〜61を参照されたい)。
【００８６】
観察結果
【００８７】
金利上昇は、主に、毎年発行される5億ドルの新しい固定レート債務と、現行ポートフォリオ(「CP」)バランスの年間15%の増加とによる、見積ベースのレバレッジの上昇によって説明される。4つのシナリオのすべてにわたって支払利息の中央値の結果とVaRの結果とがよく似ていることは、(a)分析範囲にわたる固定レート再値付けに対するパーセンテージが比較的小さいこと(2011年度末までのABCの固定レート債務再値付けの29%)、ならびに、(b)分析範囲にわたる、資本構成における変動レート債務の量が最小限であること(見積仮定が、資本構成に追加される固定レート債務のほうを、CPに対して、より多く反映するため、変動レートのパーセンテージは時間とともに減少する)と、によって説明される。
【００８８】
レートシナリオ間では支払利息のリスク分布に差があるが、その金額は、ABCの支払利息全体のコンテキストにおいては重要ではない。
【００８９】
金利シミュレーション結果：  スワップシナリオ
【００９０】
図62は、基本的には、表9にリストされたデータと同じデータを示している。しかし、図62の表示におけるデータの提示のしかたは、複数のスワップシナリオ(現行、23%変動、その他)および金利シナリオ(フォワード、平均回帰、その他)に対する種々の確率分布のすべてを、一目でわかるように示している点で、格段に有利である。同じ表示を、他の製品(たとえば、上限またはカラー)に用いて、その製品がリスクプロファイルにどう影響するかを示すことも可能である。
【００９１】
たとえば、逆イールドカーブシナリオは、ABCに最大の金融リスクをもたらすこと、および、27%変動の場合、ABCは、4つのシナリオのうちの3つにおいて、バリューアットリスク(“VaR”)をあまり増やさないことが、その表示から容易にわかる。さらに、通年支払利息の予想される減少が容易にわかり、この予想される減少と、VaRリスクの予想される増加とを、視覚的に比較することが可能である。
【００９２】
大まかに言えば、図62に示されたチャートは、各金利シナリオごとに、リスク管理製品シナリオに対応する1つまたは複数の縦棒を含むことが可能であり、リスク管理製品シナリオは、スワップ、カラー、上限、下限、スワップション、およびフォワード開始スワップ、ならびに他のリスク管理製品のうちの1つまたは複数についてのものであることが可能である。
【００９３】
【表９】
2008541315.tif 000011
【００９４】
表10は、ABCについてのレートシナリオおよび重要な得られた知見のまとめである。
【００９５】
【表１０】
2008541315.tif 000012
【００９６】
図63〜66は、43%変動の金利予想に基づくIEを示す。中央値のIEのレンジは、27%変動のケースと比較して、2000万ドルから3600万ドルへとほぼ倍増し、4億6500万〜5億100万ドルのレンジが形成される。
【００９７】
図67〜70は、現行に対して43%の場合を示す。年間IEの標準偏差の増加は、2600万〜3800万ドルであり、27%のシナリオでの増加の倍である。
【００９８】
図71〜74は、60%変動の金利予想に基づくIEを示す。中央値のIEのレンジは、43%のケースと比較して、4億5500万〜5億100万ドルにおいて、比較的不変である。
【００９９】
図75〜78は、現行に対して60%の場合を示す。中央値のIEのレンジは43%のケースから比較的不変であるが、標準偏差は、全シナリオにわたって約30%増えている。
【０１００】
フォワードカーブ
【０１０１】
暗示(implied)LIBORフォワードレートは、実際の将来LIBOR設定の正確な予測変数ではない。図79は、1990年までさかのぼる様々な時点におけるヒストリカル暗示LIBORフォワードカーブを示す。ヒストリカルには、フォワードは、レートの実際の行く先を過剰予測する傾向がある。フォワードカーブは、ヒストリカルには、金利を上げたり下げたりする支配的なFedバイアスに関係なく、平坦から右上がりになる傾向がある。しかし、フォワードカーブは、3mL(3カ月LIBOR)の3年後の行く先を、平均して250ベーシスポイント以上過剰予測している(表11を参照)。
【０１０２】
【表１１】
2008541315.tif 000013
【０１０３】
対変動金利スワップ(Swap to Floating)分析
【０１０４】
図80〜81は、5年および7年対変動金利スワップによる年間NPV節減額を示す。
【０１０５】
観察結果：  (1)1988年以来、発行者は、5年間の変動金利に対するスワップにより平均1.69%のNPV年間節減額を達成した。5年対変動金利スワップにより、1988年以来、NPVベースで92%の確率で支払利息が減少した。(2)1988年以来、発行者は、7年間の変動金利に対するスワップにより平均1.85%のNPV年間節減額を達成した。7年対変動金利スワップにより、1988年以来、NPVベースで97%の確率で支払利息が減少した。
【０１０６】
図82〜83は、ABCの“有効フロンティア”を示す。点線は、変動レートパーセンテージの増加に対する有効フロンティアを示している。
【０１０７】
リスク管理ストラテジの例を、図84〜86に示す。図84の場合の有効上限ストラテジは、参加スワップである。図85の場合の有効上限ストラテジは、リスク/リターンに対する嗜好に応じた、参加スワップとヘッジなしとの組合せである。図86の場合の有効上限ストラテジは、リスク/リターンに対する嗜好に応じた、バニラスワップ(vanilla swap)とヘッジなしとの組合せである。
【０１０８】
本明細書は、主として、リスク分布と、支払利息または純利ざやとに言及している。しかし、前述のように、本発明は、現在価値(“PV”)の観点でのリスクを特徴づけるチャート、表示、および方法も包含する。使用される表示は似ているが、変数は、支払利息ではなくPVである。当業者であれば、必要に応じて本発明を他の変数の表示にも適用できることを理解されよう。
【０１０９】
さらに、本明細書では“会計的業績”という用語を使用しているが、当業者であれば、本発明の趣旨および範囲から逸脱することなく、経済的業績データで置き換えることが可能であることを理解されよう。
【０１１０】
本発明の実施形態は、当業者には自明と考えられるコンピュータコンポーネントおよびコンピュータに実装される段階を含む。説明を容易にするために、本明細書では、本発明のすべての段階または要素をコンピュータシステムの一部として説明しているわけではないが、当業者であれば、各段階または各要素が、対応するコンピュータシステムまたはソフトウェアコンポーネントを有することが可能であることを理解されよう。したがって、そのようなコンピュータシステムおよび/またはソフトウェアコンポーネントは、それらに対応する段階または要素(すなわち、それらの機能性)を記述することによって有効化され、本発明の範囲に含まれる。
【０１１１】
たとえば、すべての計算が、1つまたは複数のコンピュータによって実行されることが好ましい。さらに、法によって許される範囲で、すべての通知および他の通信、ならびにすべてのデータ転送が、コンピュータネットワークを介して電子的に伝送されることが好ましい。さらに、すべてのデータが、1つまたは複数の電子的データベースに保存されることが好ましい。
【図面の簡単な説明】
【０１１２】
【図１】好ましい実施形態で用いられる仮定を示す図である。
【図２】様々な金利シナリオの場合の、時間に対するスワップレートを示す図である。
【図３】様々な金利シナリオの場合の、時間に対するスワップレートを示す図である。
【図４】様々な金利シナリオの場合の、時間に対するスワップレートを示す図である。
【図５】様々な金利シナリオの場合の、時間に対するスワップレートを示す図である。
【図６】通年換算された金利ボラティリティを示す図である。
【図７】資産および債務のポートフォリオに対して、様々な確率レベルで実施された金利シミュレーションの結果の好ましい表示を示す図である。
【図８】資産および債務のポートフォリオに対して、様々な確率レベルで実施された金利シミュレーションの結果の好ましい表示を示す図である。
【図９】資産および債務のポートフォリオに対して、様々な確率レベルで実施された金利シミュレーションの結果の好ましい表示を示す図である。
【図１０】資産および債務のポートフォリオに対して、様々な確率レベルで実施された金利シミュレーションの結果の好ましい表示を示す図である。
【図１１】様々なシナリオの場合の純利ざや(NIM)の、時間に対する分布を示す図である。
【図１２】95%の信頼度での様々な金利環境の中央値/高値/安値チャートを示す図である。
【図１３】様々なシナリオの場合の2006年NIMの、時間に対する分布を示す図である。
【図１４】様々なシナリオの場合の2006年NIMの、時間に対する分布を示す図である。
【図１５】様々なシナリオの場合の2007年NIMの、時間に対する分布を示す図である。
【図１６】様々なシナリオの場合の2007年NIMの、時間に対する分布を示す図である。
【図１７】様々なシナリオの場合の2008年NIMの、時間に対する分布を示す図である。
【図１８】様々なシナリオの場合の2008年NIMの、時間に対する分布を示す図である。
【図１９】様々なシナリオの場合の2009年NIMの、時間に対する分布を示す図である。
【図２０】様々なシナリオの場合の2009年NIMの、時間に対する分布を示す図である。
【図２１】混合シナリオの結果を示す図である。
【図２２】混合シナリオの結果を示す図である。
【図２３】混合シナリオの結果を示す図である。
【図２４】混合シナリオの結果を示す図である。
【図２５】混合シナリオの結果を示す図である。
【図２６】混合シナリオの結果を示す図である。
【図２７】様々なシナリオの場合の四半期当たりのNIMの影響を示す図である。
【図２８】様々なシナリオの場合の四半期当たりのNIMの影響を示す図である。
【図２９】様々なシナリオの場合の四半期当たりのNIMの影響を示す図である。
【図３０】様々なシナリオの場合の四半期当たりのNIMの影響を示す図である。
【図３１】2005年についての、何もしない場合(「現行」)と「スワップ済み」の場合との結果の比較を示す図である。
【図３２】2005年についての、何もしない場合(「現行」)と「スワップ済み」の場合との結果の比較を示す図である。
【図３３】2005年についての、何もしない場合(「現行」)と「スワップ済み」の場合との結果の比較を示す図である。
【図３４】2005年についての、何もしない場合(「現行」)と「スワップ済み」の場合との結果の比較を示す図である。
【図３５】2006年についての、何もしない場合(「現行」)と「スワップ済み」の場合との結果の比較を示す図である。
【図３６】2006年についての、何もしない場合(「現行」)と「スワップ済み」の場合との結果の比較を示す図である。
【図３７】2006年についての、何もしない場合(「現行」)と「スワップ済み」の場合との結果の比較を示す図である。
【図３８】2006年についての、何もしない場合(「現行」)と「スワップ済み」の場合との結果の比較を示す図である。
【図３９】2007年についての、何もしない場合(「現行」)と「スワップ済み」の場合との結果の比較を示す図である。
【図４０】2007年についての、何もしない場合(「現行」)と「スワップ済み」の場合との結果の比較を示す図である。
【図４１】2007年についての、何もしない場合(「現行」)と「スワップ済み」の場合との結果の比較を示す図である。
【図４２】2007年についての、何もしない場合(「現行」)と「スワップ済み」の場合との結果の比較を示す図である。
【図４３】2008年についての、何もしない場合(「現行」)と「スワップ済み」の場合との結果の比較を示す図である。
【図４４】2008年についての、何もしない場合(「現行」)と「スワップ済み」の場合との結果の比較を示す図である。
【図４５】2008年についての、何もしない場合(「現行」)と「スワップ済み」の場合との結果の比較を示す図である。
【図４６】2008年についての、何もしない場合(「現行」)と「スワップ済み」の場合との結果の比較を示す図である。
【図４７】2009年についての、何もしない場合(「現行」)と「スワップ済み」の場合との結果の比較を示す図である。
【図４８】2009年についての、何もしない場合(「現行」)と「スワップ済み」の場合との結果の比較を示す図である。
【図４９】2009年についての、何もしない場合(「現行」)と「スワップ済み」の場合との結果の比較を示す図である。
【図５０】2009年についての、何もしない場合(「現行」)と「スワップ済み」の場合との結果の比較を示す図である。
【図５１】好ましい実施形態で用いられる仮定を示す図である。
【図５２】様々な金利シナリオの場合の、時間に対するスワップレートを示す図である。
【図５３】様々な金利シナリオの場合の、時間に対するスワップレートを示す図である。
【図５４】様々な金利シナリオの場合の、時間に対するスワップレートを示す図である。
【図５５】様々な金利シナリオの場合の、時間に対するスワップレートを示す図である。
【図５６】通年換算された金利ボラティリティを示す図である。
【図５７】フォワードカーブおよびヒストリカルボラティリティに基づく、次の5年間の3カ月LIBOR(リボレート)についての、可能性のある1000個のパスのモンテカルロシミュレーションの結果を示す図である。
【図５８】様々なシナリオの場合の四半期当たりの支払利息の表示を示す図である。
【図５９】様々なシナリオの場合の四半期当たりの支払利息の表示を示す図である。
【図６０】様々なシナリオの場合の四半期当たりの支払利息の表示を示す図である。
【図６１】様々なシナリオの場合の四半期当たりの支払利息の表示を示す図である。
【図６２】様々なスワップシナリオの場合の様々な確率分布の表示を示す図である。
【図６３】43%変動の金利予想に基づくIEを示す図である。
【図６４】43%変動の金利予想に基づくIEを示す図である。
【図６５】43%変動の金利予想に基づくIEを示す図である。
【図６６】43%変動の金利予想に基づくIEを示す図である。
【図６７】現行に対して43%の場合を示す図である。
【図６８】現行に対して43%の場合を示す図である。
【図６９】現行に対して43%の場合を示す図である。
【図７０】現行に対して43%の場合を示す図である。
【図７１】60%変動の金利予想に基づくIEを示す図である。
【図７２】60%変動の金利予想に基づくIEを示す図である。
【図７３】60%変動の金利予想に基づくIEを示す図である。
【図７４】60%変動の金利予想に基づくIEを示す図である。
【図７５】現行に対して60%の場合を示す図である。
【図７６】現行に対して60%の場合を示す図である。
【図７７】現行に対して60%の場合を示す図である。
【図７８】現行に対して60%の場合を示す図である。
【図７９】1990年までさかのぼる様々な時点におけるヒストリカルインプライドLIBORフォワードカーブを示す図である。
【図８０】5年対変動金利スワップによる年間NPV節減額を示す図である。
【図８１】7年対変動金利スワップによる年間NPV節減額を示す図である。
【図８２】ABCの「有効フロンティア」を示す図である。
【図８３】ABCの「有効フロンティア」を示す図である。
【図８４】リスク管理ストラテジの例を示す図である。
【図８５】リスク管理ストラテジの例を示す図である。
【図８６】リスク管理ストラテジの例を示す図である。
【符号の説明】
【０１１３】
資産/債務ポートフォリオ
金利予想
分析期間
目的関数
リスク限度の決定
【図１】
2008541315.tif 000014
【図２】
2008541315.tif 000015
【図３】
2008541315.tif 000016
【図４】
2008541315.tif 000017
【図５】
2008541315.tif 000018
【図６】
2008541315.tif 000019
【図７】
2008541315.tif 000020
【図８】
2008541315.tif 000021
【図９】
2008541315.tif 000022
【図１０】
2008541315.tif 000023
【図１１】
2008541315.tif 000024
【図１２】
2008541315.tif 000025
【図１３】
2008541315.tif 000026
【図１４】
2008541315.tif 000027
【図１５】
2008541315.tif 000028
【図１６】
2008541315.tif 000029
【図１７】
2008541315.tif 000030
【図１８】
2008541315.tif 000031
【図１９】
2008541315.tif 000032
【図２０】
2008541315.tif 000033
【図２１】
2008541315.tif 000034
【図２２】
2008541315.tif 000035
【図２３】
2008541315.tif 000036
【図２４】
2008541315.tif 000037
【図２５】
2008541315.tif 000038
【図２６】
2008541315.tif 000039
【図２７】
2008541315.tif 000040
【図２８】
2008541315.tif 000041
【図２９】
2008541315.tif 000042
【図３０】
2008541315.tif 000043
【図３１】
2008541315.tif 000044
【図３２】
2008541315.tif 000045
【図３３】
2008541315.tif 000046
【図３４】
2008541315.tif 000047
【図３５】
2008541315.tif 000048
【図３６】
2008541315.tif 000049
【図３７】
2008541315.tif 000050
【図３８】
2008541315.tif 000051
【図３９】
2008541315.tif 000052
【図４０】
2008541315.tif 000053
【図４１】
2008541315.tif 000054
【図４２】
2008541315.tif 000055
【図４３】
2008541315.tif 000056
【図４４】
2008541315.tif 000057
【図４５】
2008541315.tif 000058
【図４６】
2008541315.tif 000059
【図４７】
2008541315.tif 000060
【図４８】
2008541315.tif 000061
【図４９】
2008541315.tif 000062
【図５０】
2008541315.tif 000063
【図５１】
2008541315.tif 000064
【図５２】
2008541315.tif 000065
【図５３】
2008541315.tif 000066
【図５４】
2008541315.tif 000067
【図５５】
2008541315.tif 000068
【図５６】
2008541315.tif 000069
【図５７】
2008541315.tif 000070
【図５８】
2008541315.tif 000071
【図５９】
2008541315.tif 000072
【図６０】
2008541315.tif 000073
【図６１】
2008541315.tif 000074
【図６２】
2008541315.tif 000075
【図６３】
2008541315.tif 000076
【図６４】
2008541315.tif 000077
【図６５】
2008541315.tif 000078
【図６６】
2008541315.tif 000079
【図６７】
2008541315.tif 000080
【図６８】
2008541315.tif 000081
【図６９】
2008541315.tif 000082
【図７０】
2008541315.tif 000083
【図７１】
2008541315.tif 000084
【図７２】
2008541315.tif 000085
【図７３】
2008541315.tif 000086
【図７４】
2008541315.tif 000087
【図７５】
2008541315.tif 000088
【図７６】
2008541315.tif 000089
【図７７】
2008541315.tif 000090
【図７８】
2008541315.tif 000091
【図７９】
2008541315.tif 000092
【図８０】
2008541315.tif 000093
【図８１】
2008541315.tif 000094
【図８２】
2008541315.tif 000095
【図８３】
2008541315.tif 000096
【図８４】
2008541315.tif 000097
【図８５】
2008541315.tif 000098
【図８６】
2008541315.tif 000099
【国際調査報告】
2008541315.tif 000100